(57)【特許請求の範囲】
【請求項１】
断面矩形状の平板で構成される複数の電源導体のそれぞれの一面に取り付けられる、隣接する前記電源導体間に発生するアークをアーク駆動経路の途中で停滞させるアークホーンであって、
前記電源導体の一面に取り付けられる取付部と、該取付部に取り付けられた導電性のアーク駆動部とを備え、
該アーク駆動部は、前記取付部から前記電源導体の一面に対して傾斜するように延びる傾斜部と、該傾斜部から延び、前記取付部を取り付ける側の前記電源導体のエッジ部分及び前記取付部を取り付ける側と反対側の前記電源導体のエッジ部分の双方を前記電源導体の両側方から覆う一対の延長部とを備えていることを特徴とするアークホーン。
【請求項２】
前記一対の延長部は、前記取付部を取り付ける側と反対側の前記電源導体の他面を覆う連結部で連結されていることを特徴とする請求項１に記載のアークホーン。
【請求項３】
前記アーク駆動部の前記傾斜部及び前記一対の延長部の側面に、前記アークを駆動するエッジ部を設けたことを特徴とする請求項１又は２に記載のアークホーン。
【請求項４】
断面矩形状の平板で構成される複数の電源導体と、該複数の電源導体のそれぞれの一面に取付けられる請求項１乃至３のうちいずれか一項に記載のアークホーンとを備えていることを特徴とする配電盤。
【請求項５】
前記複数の電源導体のそれぞれの両側面に、前記一対の延長部を通す一対の切欠きを形成したことを特徴とする請求項４に記載の配電盤。
【発明の詳細な説明】
【技術分野】
【０００１】
本発明は、隣接する電源導体間に発生するアークをアーク駆動経路の途中で停滞させるためのアークホーン及びそのアークホーンを備えた配電盤に関する。
【背景技術】
【０００２】
配電盤において、万一隣接する電源導体間で短絡が生じた場合、隣接する電源導体間でアークが発生する。この場合、アークに流れる電流と電源導体に流れる電流とが作る磁界によってアークは電源側とは逆方向側（負荷側）に電磁力（ローレンツ力）の影響で駆動する。その際、アークはその発生エネルギーで周囲にある電気機器などを破損・焼損させ、さらにアークが配電盤の筐体に接触した場合には、筐体が破損し、高温のガスが配電盤内から配電盤外に放出し、重大な事故となることがある。そこで、このアークを制御・鎮静させることが望まれ、配電盤において、隣接する電源導体間に発生するアークをアーク駆動経路の途中で停滞させるためにアークホーン（補助導体）を電源導体に設けることが提案されている。
【０００３】
従来のこの種のアークホーンを備えた配電盤として、例えば、特許文献１に示すものが知られている。
特許文献１に示す配電盤においては、電源からの３相の電源分岐導体のそれぞれにアークホーン（補助導体）を取り付けている。それぞれのアークホーンは、空間を介して対応配置しているとともに、それぞれの先端は電源側から負荷側に向かって傾斜している。そして、隣接する電源分岐導体間に発生したアークは、電磁力により電源側に近い１点からアークホーンの先端部に駆動されて停滞し、アークにより周囲の電気機器が破損することを回避することができる。
【先行技術文献】
【特許文献】
【０００４】
【特許文献１】特開平６−３８３１５号公報
【発明の概要】
【発明が解決しようとする課題】
【０００５】
しかしながら、この従来の特許文献１に示す配電盤にあっては、以下の問題点があった。
即ち、特許文献１に示した配電盤において、アークホーンが取り付けられている電源分岐導体は断面形状が矩形の平板で構成され、アークホーンはその平板の一面に取付けられている。一方、隣接する平板状の電源導体間に発生するアークの足（陰極点、陽極点）は、その駆動に際し電界が集中する導体のエッジ部分を走行する。このため、アークの足がアークホーン取付け側の電源分岐導体のエッジ部分を走行する場合には、アークがアークホーンに導かれてその先端部で停滞する。これに対し、アークの足がアークホーン取付け側と反対側の電源分岐導体のエッジ部分を走行する場合には、アークがアークホーンに導かれず、電源分岐導体の負荷側への駆動が継続してしまい、アークにより周囲の電気機器が破損してしまうおそれがあった。
【０００６】
従って、本発明はこの従来の問題点を解決するためになされたものであり、その目的は、隣接する電源導体間にアークが発生した場合に、アークの足が、アークホーン取付け側の電源導体のエッジ部分及びアークホーン取付け側と反対側の電源導体のエッジ部分のいずれを駆動する場合でも、アークをアーク発生場所に対して負荷側に取り付けたアークホーンの先端に容易、確実に導くことができるアークホーン及び配電盤を提供することにある。
【課題を解決するための手段】
【０００７】
上記目的を達成するために、本発明の一態様に係るアークホーンは、断面矩形状の平板で構成される複数の電源導体のそれぞれの一面に取り付けられる、隣接する前記電源導体間に発生するアークをアーク駆動経路の途中で停滞させるアークホーンであって、前記電源導体の一面に取り付けられる取付部と、該取付部に取り付けられた導電性のアーク駆動部とを備え、該アーク駆動部は、前記取付部から前記電源導体の一面に対して傾斜するように延びる傾斜部と、該傾斜部から延び、前記取付部を取り付ける側の前記電源導体のエッジ部分及び前記取付部を取り付ける側と反対側の前記電源導体のエッジ部分の双方を前記電源導体の両側方から覆う一対の延長部とを備えていることを要旨とする。
また、本発明の別の態様に係る配電盤は、断面矩形状の平板で構成される複数の電源導体と、該複数の電源導体のそれぞれの一面に取付けられる前述のアークホーンとを備えていることを要旨とする。
【発明の効果】
【０００８】
本発明に係るアークホーン及び配電盤によれば、隣接する電源導体間にアークが発生した場合に、アークの足が、アークホーン取付け側の電源導体のエッジ部分及びアークホーン取付け側と反対側の電源導体のエッジ部分のいずれを駆動する場合でも、アークをアーク発生場所に対して負荷側に取り付けたアークホーンの先端に容易、確実に導くことができるアークホーン及び配電盤を提供できる。
【図面の簡単な説明】
【０００９】
【図１】本発明の第１実施形態に係るアークホーンを備えた配電盤の概略説明図である。
【図２】本発明の第１実施形態に係るアークホーンの右側面図である。
【図３】図２に示すアークホーンの正面斜め上方から見た斜視図である。
【図４】図２に示すアークホーンを電源導体に取り付けた状態の斜視図である。
【図５】図２に示すアークホーンを隣接する２つの電源導体のそれぞれに取り付けたものと配電盤の筐体との位置関係を概略的に示す図である。
【図６】図５に概略的に示された図において、アークの駆動を説明するための図である。但し、図６においては、隣接する２つの電源導体及びそれらに取り付けたアークホーンのうち片側の電源導体及びアークホーンのみを示している。
【図７】本発明の第２実施形態に係るアークホーンの右側面図である。
【図８】図７に示すアークホーンの正面斜め上方から見た斜視図である。
【図９】図７に示すアークホーンを電源導体に取り付けた状態の斜視図である。
【図１０】図７に示すアークホーンを隣接する２つの電源導体のそれぞれに取り付けたものと配電盤の筐体との位置関係を概略的に示す図である。
【図１１】図１０に概略的に示された図において、アークの駆動を説明するための図である。但し、図１１においては、隣接する２つの電源導体及びそれらに取り付けたアークホーンのうち片側の電源導体及びアークホーンのみを示している。
【図１２】参考例のアークホーンを電源導体に取り付けた状態の斜視図である。
【図１３】図１２に示すアークホーンを隣接する２つの電源導体のそれぞれに取り付けたものと配電盤の筐体との位置関係を概略的に示す図である。
【図１４】図１３に概略的に示された図において、アークホーンを取り付けた側の電源導体のエッジ部分をアークが駆動する場合を説明するための図である。但し、図１４においては、隣接する２つの電源導体及びそれらに取り付けたアークホーンのうち片側の電源導体及びアークホーンのみを示している。
【図１５】図１３に概略的に示された図において、アークホーンを取り付けた側と反対側の電源導体のエッジ部分をアークが駆動する場合を説明するための図である。但し、図１５においては、隣接する２つの電源導体及びそれらに取り付けたアークホーンのうち片側の電源導体及びアークホーンのみを示している。
【発明を実施するための形態】
【００１０】
以下、本発明の実施形態について図面を参照して説明する。
（第１実施形態）
本発明の第１実施形態に係るアークホーンは、図１に示す配電盤に備えられている。配電盤１は、筐体１ａの内部に仕切板２Ａ、２Ｂを取り付けて遮断器室Ａ、母線室Ｂ、ケーブル室Ｃを備えている。母線室Ｂの天井側の仕切板２Ａには、３つの碍子４ａ，４ｂ，４ｃが取り付けられ、各碍子４ａ，４ｂ，４ｃには、３相を構成する各相の電源導体３ａ，３ｂ，３ｃが取り付けられている。そして、各相の電源導体３ａ，３ｂ，３ｃには、それぞれ電源分岐導体５が接続されている。各電源分岐導体５は、仕切板２Ａに取り付けられた各電源側断路部６に接続されている。また、仕切板２Ａには、３つの負荷側断路部８が取り付けられている。遮断器室Ａ内には、真空遮断器７が配置され、真空遮断器７は、遮断器室Ａ内で移動して各電源側断路部６及び各負荷側断路部８と電気的に開閉する。
【００１１】
また、３つの負荷側断路部８のそれぞれには、電源導体９が接続される。３つの電源導体９は、ケーブル室Ｃ内において並行に配置されており、各電源導体９は、仕切板２Ｂに取り付けられた複数の碍子１０に取り付けられるとともに、カレントトランス１１を貫通してケーブル１２に接続される。ケーブル１２は、ケーブル室Ｃより配電盤１の外に引き出されて、例えばモータなどの負荷に接続される。ここで、各電源導体９は、負荷側断路部８から水平に延びた後、第１屈曲部９ａを経て上方に延び、更に第２屈曲部９ｂを経て筐体１ａに向かって水平に延びる。そして、各電源導体９の第１屈曲部９ａ近傍の水平部分及び第２屈曲部９ｂ近傍の水平部分には、それぞれアークホーン２０が取り付けられている。
【００１２】
なお、各電源導体９は、アーシングスイッチ１３を介してバスバー１４を経て接地可能となっている。
ここで、各電源導体９の第１屈曲部９ａ近傍の水平部分に取り付けられたアークホーン２０と各電源導体９の第２屈曲部９ｂ近傍の水平部分に取り付けられたアークホーン２０は、構成が同一であるため、以後、各電源導体９の第２屈曲部９ｂ近傍の水平部分に取り付けられたアークホーン２０について説明する。
このアークホーン２０は、隣接する電源導体９間に発生するアークをアーク駆動経路の途中で停滞させるものであり、図４及び図５に示すように、一面（図４及び図５においては上面）９１及び一面と反対側の他面（下面）９２を有する断面矩形状の平板で構成される複数（本実施形態にあっては３つ，図４においては１つ、図５においては２つのみ図示）の電源導体９のそれぞれの一面９１に取り付けられる。
【００１３】
各アークホーン２０は、図２乃至図４に示すように、各電源導体９の一面９１に取り付けられる取付部２１と、取付部２１に取り付けられた導電性のアーク駆動部２２とを備えている。
ここで、取付部２１は、電源導体９の幅よりもやや細い幅を有する矩形状の基板部２１ａと、基板部２１ａの短辺から延びる、基板部２１ａよりも幅の細い矩形状の狭幅板部２１ｂとを有する板部材である。取付部２１は、金属板を加工することによって一体に形成される。そして、取付部２１の基板部２１ａ及び狭幅板部２１ｂには、取付部２１を電源導体９に取り付けるための取付ボルト２７のねじ軸が挿通される複数のボルト用挿通孔２１ｄが上下に貫通するように形成されている。取付部２１は、基板部２１ａが電源側に、狭幅板部２１ｂが負荷側となるように、電源導体９の一面９１に取り付けられる。
【００１４】
また、アーク駆動部２２は、取付部２１から電源導体９の一面９１に対して傾斜するように延びる傾斜部２３を備えている。傾斜部２３は、取付部２１の狭幅板部２１ｂから幅方向に突出する基板部２１ａの負荷側端部において接合部２１ｃで接合されて電源導体９の一面９１、即ち取付部２１の上面に対して傾斜するように延びる。傾斜部２３の電源導体９の一面９１及び取付部２１の上面に対する傾斜は、負荷側が立ち上がるような傾斜で、その傾斜角度は、約４５°に設定されている。傾斜部２３は、矩形状の傾斜部本体２３ａと、傾斜部本体２３ａの幅方向両端から延び、取付部２１の狭幅板部２１ｂから幅方向に突出する基板部２１ａの後端部において接合部２１ｃで接合される一対の脚部２３ｂ、２３ｃとを備えている。
【００１５】
また、アーク駆動部２２は、傾斜部２３の一対の脚部２３ｂ、２３ｃの端部から電源導体９の一面９１に対して直交する方向（下方）に延びる一対の延長部２４、２４（図２乃至図５においては一方の延長部２４のみ図示）を備えている。これら一対の延長部２４、２４は、図４に示すように、取付部２１を取り付ける側の電源導体９のエッジ部分９１ａ及び取付部２１を取り付ける側と反対側の電源導体９のエッジ部分９２ａの双方を電源導体９の両側方から覆う。図２乃至図５に示す例においては、各電源導体９のそれぞれの両側面に、一対の延長部２４，２４を通す一対の切欠き９３が形成してあり、一対の延長部２４、２４は、取付部２１を取り付ける側の切欠き９３のエッジ部分９１ａａ及び取付部２１を取り付ける側と反対側の切欠き９３のエッジ部分９２ａａの双方を覆っている。
【００１６】
また、アーク駆動部２２において、一対の延長部２４、２４は、それらの端部において、取付部２１を取り付ける側と反対側の電源導体９の他面９２を覆う連結部２６で連結されている。
更に、アーク駆動部２２の傾斜部２３及び一対の延長部２４、２４の側面には、アーク１００（図６参照）を駆動するエッジ部２５が設けられている。エッジ部２５は、各延長部２４の端部（下端部）から傾斜部２３の端部（上端部）に至るまで延びている。
このように構成されたアークホーン２０を電源導体９に取り付ける際には、電源導体９の負荷側端部からアークホーン２０の連結部２６と取付部２１との間の隙間に電源導体９を挿通する形でアークホーン２０をスライドさせて１対の延長部２４、２４を切欠き９３のところに位置させ、取付ボルト２７及びナット２８により取付部２１及び電源導体９を抱き締めすればよい。この際に、取付部２１は、基板部２１ａが電源側に、狭幅板部２１ｂが負荷側となるように、電源導体９の一面９１に取り付けられる。なお、図示はしないが、電源導体９には、取付ボルト２７が挿通される貫通孔が形成されている。
【００１７】
次に、図６を参照して、電源導体９に取り付けたアークホーン２０の作用について説明する。
配電盤１において、万一隣接する電源導体９間で短絡が生じた場合、隣接する電源導体９間でアーク１００が発生する。この場合、アーク１００に流れる電流と電源導体９に流れる電流とが作る磁界によってアーク１００は電源側とは逆方向側（負荷側）に電磁力（ローレンツ力）の影響で駆動する。
ここで、アーク１００が取付部２１を取り付ける側と反対側の電源導体９のエッジ部分９２ａを駆動する場合、アーク１００の足（陽極点、陰極点）は、電源導体９の電源側のエッジ部分９２ａから切欠き９３のエッジ部分９２ａａを経てアークホーン２０の延長部２４、傾斜部２３のアーク駆動経路Ａを駆動して傾斜部２３の先端に至り、アーク１００の足が傾斜部２３の先端一端部２３Ａに固定される。そして、アーク１００は徐々に先端一端部２３Ａと反対側の傾斜部２３の先端他端部２３Ｂ側に広がっていき、その足が先端他端部２３Ｂに固定される。このため、アーク１００は筐体１ａに接触せず、筐体１ａが破損して高温のガスが配電盤１内から配電盤１外に放出するおそれを回避することができる。なお、アークホーン２０の電源導体９に対する取付位置は、アーク１００が広がっても、筐体１ａに到達しない位置に設定されている。
【００１８】
一方、アーク１００が取付部２１を取り付ける側の電源導体９のエッジ部分９１ａを駆動する場合、図示はしないが、アーク１００の足は、電源導体９の電源側のエッジ部分９１ａから切欠き９３のエッジ部分９１ａａを経てアークホーン２０の延長部２４、傾斜部２３のアーク駆動経路を駆動して傾斜部２３の先端に至り、アーク１００の足が傾斜部２３の先端一端部２３Ａに固定される。そして、アーク１００は徐々に先端一端部２３Ａと反対側の傾斜部２３の先端他端部２３Ｂ側に広がっていき、その足が先端他端部２３Ｂに固定される。このため、アーク１００は筐体１ａに接触しない。
【００１９】
このように、第１実施形態に係るアークホーン２０によれば、アーク駆動部２２は、取付部２１から電源導体９の一面９１に対して傾斜するように延びる傾斜部２３と、傾斜部２３から延び、取付部２１を取り付ける側の電源導体９のエッジ部分９１ａ（９１ａａ）及び取付部２１を取り付ける側と反対側の電源導体９のエッジ部分９２ａ（９２ａａ）の双方を電源導体９の両側方から覆う一対の延長部２４、２４とを備えている。このため、隣接する電源導体９間にアーク１００が発生した場合に、アーク１００の足が、アークホーン２０を取り付ける側の電源導体９のエッジ部分９１ａ及びアークホーン２０を取り付ける側と反対側の電源導体９のエッジ部分９２ａのいずれを駆動する場合でも、アークホーン２０の延長部２４から傾斜部２３を駆動し、傾斜部２３の先端に至るので、アーク１００をアーク発生場所に対して負荷側に取り付けたアークホーン２０の先端に容易、確実に導くことができ、アーク１００が筐体１ａに接触せず、筐体１ａが破損して高温のガスが配電盤１内から配電盤１外に放出するおそれを回避することができる。
【００２０】
また、第１実施形態に係るアークホーン２０によれば、一対の延長部２４、２４は、取付部２１を取り付ける側と反対側の電源導体９の他面９２を覆う連結部２６で連結されている。このため、電源導体９の他面９２側をアーク１００の足が駆動する場合でも、アーク１００の足は、連結部２６から延長部２４、傾斜部２３を駆動し、傾斜部２３の先端に至るので、アーク１００をアークホーン２０の先端に容易、確実に導くことができる。
更に、第１実施形態に係るアークホーン２０によれば、アーク駆動部２２の傾斜部２３及び一対の延長部２４、２４の側面に、アーク１００を駆動するエッジ部２５を設けてある。このため、アーク１００の足が、アークホーン２０の延長部２４から傾斜部２３を駆動して傾斜部２３の先端に至る際に、アーク１００の足はエッジ部２５上を駆動する。これにより、アーク１００をアークホーン２０の先端により容易に導くことができる。
【００２１】
また、第１実施形態に係るアークホーン２０を備えた配電盤１によれば、複数（この実施形態の場合３つ）の電源導体９のそれぞれの両側面に、一対の延長部２４、２４を通す一対の切欠き９３、９３を形成してある。この理由は、切欠き９３を形成しないストレート形状の電源導体９の両側面から一対の延長部２４、２４でエッジ部分９１ａ及び９２ａを覆った場合には、隣接して並行に配置された電源導体９に取り付けたアークホーン２０の延長部２４との間の距離が短くなり、極間の耐電圧が低下する懸念がある。このため、アークホーン２０の延長部２４を設置する付近の電源導体９に延長部２４用の逃げとなる切欠き９３を形成した。これにより、極間の絶縁距離を維持することが可能となり、耐電圧の低下を防止することができる。このように、切欠き９３を電源導体９に形成すると、その部分の電源導体９の断面積が小さくなり、電流集中により発熱する危険性が心配される。しかし、アークホーン２０の延長部２４を含めた部分も導体として使用することができるので、アークホーン２０の断面積と切欠き９３があるところの電源導体９の断面積の合計がストレート形状の電源導体９の断面積よりも多ければ、電流集中を防止することができる。
【００２２】
次に、アークホーン２０に一対の延長部２４、２４を設けない参考例について図１２乃至図１５を参照して説明する。図１２乃至図１５において、図２乃至図６と同一の部材については同一の符号を付し、その説明を省略することがある。
図１２乃至図１５に示すアークホーン２０は、図２乃至図６に示すアークホーン２０と同様に、各電源導体９の一面９１に取り付けられる取付部２１と、取付部２１に取り付けられたアーク駆動部２２とを備えている。このアークホーン２０は、導電性金属板を加工することにより一体に形成されている。
【００２３】
ここで、取付部２１は、電源導体９の幅とほぼ同一の幅を有する矩形状に形成された板部材であり、取付部２１を電源導体９に取り付けるための取付ボルト２７のねじ軸が挿通される複数のボルト用挿通孔（図示せず）が上下に貫通するように形成されている。アークホーン２０を電源導体９の一面９１に取り付ける際には、取付部２１を電源導体９の一面９１上に載置し、複数の取付ボルト２７及びナット２８により取付部２１及び電源導体９を抱き締めすればよい。なお、図示はしないが、電源導体９には、取付ボルト２７が挿通される貫通孔が形成されている。
【００２４】
また、アーク駆動部２２は、取付部２１から電源導体９の一面９１に対して傾斜するように延びる傾斜部２３を備えている。傾斜部２３は、略矩形状の板部材で取付部２１と一体に形成されている。そして、傾斜部２３の電源導体９の一面９１及び取付部２１の上面に対する傾斜は、負荷側が立ち上がるような傾斜で、その傾斜角度は、約４５°に設定されている。アーク駆動部２２には、第１実施形態のアークホーン２０のように、一対の延長部は設けられていない。
このように構成された参考例のアークホーン２０の作用について、図１４及び図１５を参照して説明する。
【００２５】
先ず、図１４に示すように、アーク１００が取付部２１を取り付ける側の電源導体９のエッジ部分９１ａを駆動する場合、アーク１００の足は、電源導体９の電源側のエッジ部分９１ａからアークホーン２０の取付部２１の上側エッジ部分を経てアークホーン２０の傾斜部２３の上側エッジ部分のアーク駆動経路Ａを駆動して傾斜部２３の先端に至り、アーク１００の足が傾斜部２３の先端一端部２３Ａに固定される。そして、アーク１００は徐々に先端一端部２３Ａと反対側の傾斜部２３の先端他端部２３Ｂ側に広がっていき、その足が先端他端部２３Ｂに固定される。このため、アーク１００は筐体１ａに接触しない。
【００２６】
一方、図１５に示すように、アーク１００が取付部２１を取り付ける側と反対側の電源導体９のエッジ部分９２ａを駆動する場合、アーク１００の足は、電源導体９の電源側のエッジ部分９２ａから電源導体９の負荷側のエッジ部分９２ａの端部に至るアーク駆動経路Ｂを駆動し、アーク１００の足が電源導体９の先端一端部９Ａに固定される。そして、アーク１００は徐々に先端一端部９Ａと反対側の電源導体９の先端他端部２３Ｂ側に広がっていき、その足が先端他端部２３Ｂに固定される。この際に、アーク１００は筐体１ａに接触し、筐体１ａが破損して高温のガスが配電盤１内から配電盤１外に放出する。
【００２７】
このように、アークホーン２０に一対の延長部２４、２４を設けない参考例のアークホーン２０の場合は、アーク１００が取付部２１を取り付ける側と反対側の電源導体９のエッジ部分９２ａを駆動する場合には、アークホーン２０にアーク１００が導かれず、アーク１００の電源導体９における駆動が継続し、筐体１ａに接触してしまう不都合がある。
これに対して、第１実施形態に係るアークホーン２０の場合には、前述したように、アーク駆動部２２は、取付部２１から電源導体９の一面９１に対して傾斜するように延びる傾斜部２３と、傾斜部２３から延び、取付部２１を取り付ける側の電源導体９のエッジ部分９１ａ（９１ａａ）及び取付部２１を取り付ける側と反対側の電源導体９のエッジ部分９２ａ（９２ａａ）の双方を電源導体９の両側方から覆う一対の延長部２４、２４とを備えている。このため、隣接する電源導体９間にアーク１００が発生した場合に、アーク１００の足が、アークホーン２０を取り付ける側の電源導体９のエッジ部分９１ａ及びアークホーン２０を取り付ける側と反対側の電源導体９のエッジ部分９２ａのいずれを駆動する場合でも、アークホーン２０の延長部２４から傾斜部２３を駆動し、傾斜部２３の先端に至るので、アーク１００をアーク発生場所に対して負荷側に取り付けたアークホーン２０の先端に容易、確実に導くことができる。
【００２８】
（第２実施形態）
次に、本発明の第２実施形態に係るアークホーンについて、図７乃至図１１を参照して説明する。図７乃至図１１において、図２乃至図６における部材と同一の部材については同一の符号を付し、その説明を省略することがある。
第２実施形態に係るアークホーンは、図７乃至図１１に示されており、このアークホーン２０は、基本構成は図２乃至図６に示すアークホーン２０と同様であるが、一対の延長部２４、２４のそれぞれの形状が異なっている。なお、この第２実施形態に係るアークホーン２０も、図１に示す配電盤１において、各電源導体９の第１屈曲部９ａ近傍の水平部分及び各電源導体９の第２屈曲部９ｂ近傍の水平部分に取り付けられる。
【００２９】
各延長部２４は、第１実施形態に係るアークホーン２０の延長部２４が傾斜部２３の一対の脚部２３ｂ、２３ｃの端部のそれぞれから電源導体９の一面９１に対して直交する方向（下方）に延びるのに対し、傾斜部２３の一対の脚部２３ｂ、２３ｃの端部のそれぞれから真っ直ぐに延びている点で相違している。そして、一対の延長部２４は、図９に示すように、取付部２１を取り付ける側の電源導体９のエッジ部分９１ａ及び取付部２１を取り付ける側と反対側の電源導体９のエッジ部分９２ａの双方を電源導体９の両側方から覆う。図７乃至図１１に示す例においては、各電源導体９のそれぞれの両側面に、一対の延長部２４，２４を通す一対の切欠き９３が形成してあり、一対の延長部２４、２４は、取付部２１を取り付ける側の切欠き９３のエッジ部分９１ａａ及び取付部２１を取り付ける側と反対側の切欠き９３のエッジ部分９２ａａの双方を覆っている。
【００３０】
なお、第２実施形態に係るアークホーン２０のアーク駆動部２２において、一対の延長部２４、２４は、第１実施形態に係るアークホーン２０の一対の延長部２４、２４と異なり、それらの端部において、取付部２１を取り付ける側と反対側の電源導体９の他面９２を覆う連結部２６で連結されていない。
また、第２実施形態に係るアークホーン２０のアーク駆動部２２の傾斜部２３及び一対の延長部２４、２４の側面には、第１実施形態に係るアークホーン２０と同様に、アーク１００（図１１参照）を駆動するエッジ部２５が設けられている。エッジ部２５は、各延長部２４の端部（下端部）から傾斜部２３の端部（上端部）に至るまで延びている。
このように構成されたアークホーン２０を電源導体９に取り付ける際には、電源導体９の一面９１上に取付部２１を、両延長部２４が電源導体９の両切欠き９３を通るように、載置する。そして、取付ボルト２７及びナット２８により取付部２１及び電源導体９を抱き締めすればよい。この際に、取付部２１は、基板部２１ａが電源側に、狭幅板部２１ｂが負荷側となるように、電源導体９の一面９１に取り付けられる。なお、図示はしないが、電源導体９には、取付ボルト２７が挿通される貫通孔が形成されている。
【００３１】
次に、図１１を参照して、電源導体９に取り付けた第２実施形態に係るアークホーン２０の作用について説明する。
配電盤１において、万一隣接する電源導体９間で短絡が生じた場合、隣接する電源導体９間でアーク１００が発生する。この場合、アーク１００に流れる電流と電源導体９に流れる電流とが作る磁界によってアーク１００は電源側とは逆方向側（負荷側）に電磁力（ローレンツ力）の影響で駆動する。
ここで、アーク１００が取付部２１を取り付ける側と反対側の電源導体９のエッジ部分９２ａを駆動する場合、図１１に示すように、アーク１００の足（陽極点、陰極点）は、電源導体９の電源側のエッジ部分９２ａから切欠き９３のエッジ部分９２ａａを経てアークホーン２０の延長部２４、傾斜部２３のアーク駆動経路Ａを駆動して傾斜部２３の先端に至り、アーク１００の足が傾斜部２３の先端一端部２３Ａに固定される。そして、アーク１００は徐々に先端一端部２３Ａと反対側の傾斜部２３の先端他端部２３Ｂ側に広がっていき、その足が先端他端部２３Ｂに固定される。このため、アーク１００は筐体１ａに接触せず、筐体１ａが破損して高温のガスが配電盤１内から配電盤１外に放出するおそれを回避することができる。なお、アークホーン２０の電源導体９に対する取付位置は、アーク１００が広がっても、筐体１ａに到達しない位置に設定されている。
【００３２】
一方、アーク１００が取付部２１を取り付ける側の電源導体９のエッジ部分９１ａを駆動する場合、図示はしないが、アーク１００の足は、電源導体９の電源側のエッジ部分９１ａから切欠き９３のエッジ部分９１ａａを経てアークホーン２０の延長部２４、傾斜部２３のアーク駆動経路を駆動して傾斜部２３の先端に至り、アーク１００の足が傾斜部２３の先端一端部２３Ａに固定される。そして、アーク１００は徐々に先端一端部２３Ａと反対側の傾斜部２３の先端他端部２３Ｂ側に広がっていき、その足が先端他端部２３Ｂに固定される。このため、アーク１００は筐体１ａに接触しない。
【００３３】
このように、第２実施形態に係るアークホーン２０においても、アーク駆動部２２は、取付部２１から電源導体９の一面９１に対して傾斜するように延びる傾斜部２３と、傾斜部２３から延び、取付部２１を取り付ける側の電源導体９のエッジ部分９１ａ（９１ａａ）及び取付部２１を取り付ける側と反対側の電源導体９のエッジ部分９２ａ（９２ａａ）の双方を電源導体９の両側方から覆う一対の延長部２４、２４とを備えている。このため、隣接する電源導体９間にアーク１００が発生した場合に、アーク１００の足が、アークホーン２０を取り付ける側の電源導体９のエッジ部分９１ａ及びアークホーン２０を取り付ける側と反対側の電源導体９のエッジ部分９２ａのいずれを駆動する場合でも、アークホーン２０の延長部２４から傾斜部２３を駆動し、傾斜部２３の先端に至るので、アーク１００をアーク発生場所に対して負荷側に取り付けたアークホーン２０の先端に容易、確実に導くことができ、アーク１００が筐体１ａに接触せず、筐体１ａが破損して高温のガスが配電盤１内から配電盤１外に放出するおそれを回避することができる。
【００３４】
また、第２実施形態に係るアークホーン２０によれば、一対の延長部２４、２４は、傾斜部２３の一対の脚部２３ｂ、２３ｃの端部のそれぞれから真っ直ぐに延びている。つまり、各延長部２４自身も負荷側が上となるように電源導体９の一面９１に対して傾斜している。このため、アーク１００の足が、アークホーン２０を取り付ける側の電源導体９のエッジ部分９１ａ及びアークホーン２０を取り付ける側と反対側の電源導体９のエッジ部分９２ａのいずれを駆動する場合でも、延長部２４に乗りやすく、アーク１００の足を傾斜部２３の先端に至るまで容易に駆動することができる。
【００３５】
また、第２実施形態に係るアークホーン２０においても、アーク駆動部２２の傾斜部２３及び一対の延長部２４、２４の側面に、アーク１００を駆動するエッジ部２５を設けてある。このため、アーク１００の足が、アークホーン２０の延長部２４から傾斜部２３を駆動して傾斜部２３の先端に至る際に、アーク１００の足はエッジ部２５上を駆動する。これにより、アーク１００をアークホーン２０の先端により容易に導くことができる。
また、第２実施形態に係るアークホーン２０を備えた配電盤１においても、複数（この実施形態の場合３つ）の電源導体９のそれぞれの両側面に、一対の延長部２４、２４を通す一対の切欠き９３、９３を形成してある。このため、極間の絶縁距離を維持することが可能となり、耐電圧の低下を防止することができる。
【００３６】
以上、本発明の実施形態について説明してきたが、本発明はこれに限定されずに種々の変更、改良を行うことができる。
例えば、第１実施形態に係るアークホーン２０及び第２実施形態に係るアークホーン２０の双方において、取付部２１とアーク駆動部２２は別体で構成し、それぞれを接合しているが、取付部２１及びアーク駆動部２２を一体で構成してもよい。
また、第１実施形態に係るアークホーン２０及び第２実施形態に係るアークホーン２０の双方において、傾斜部２３は、電源導体９の一面９１に対して負荷側が上がる形で約４５°の傾斜角度で傾斜しているが、電源導体９の一面９１に対して負荷側が上がる形で傾斜していればよく、傾斜角度は約４５°に限定されない。
【００３７】
更に、第１実施形態に係るアークホーン２０及び第２実施形態に係るアークホーン２０の双方において、一対の延長部２４、２４及び傾斜部２３の側面にエッジ部２５を設ける必要は必ずしもない。
また、第１実施形態に係るアークホーン２０を備えた配電盤１及び第２実施形態に係るアークホーン２０を備えた配電盤１において、電源導体９のそれぞれの両側面に、一対の切欠き９３を形成する必要は必ずしもない。この場合、一対の延長部２４は、取付部２１を取り付ける側の電源導体９のエッジ部分９１ａ及び取付部２１を取り付ける側と反対側の電源導体９のエッジ部分９２ａの双方を電源導体９の両側方から覆う。
【００３８】
また、第１実施形態に係るアークホーン２０において、一対の延長部２４、２４を連結する連結部２６は必ずしも設ける必要はない。
また、第１実施形態及び第２実施形態に係るアークホーン２０は、断面矩形状の平板で構成される複数の電源導体のそれぞれの一面に取り付けられて、隣接する電源導体間に発生するアークをアーク駆動経路の途中で停滞させるものであり、それが適用されるのは配電盤１のみならず、例えば、複数の電源導体が使用されるいわゆるバスダクトシステムと呼ばれる幹線配線システムに適用してもよい。
【符号の説明】
【００３９】
１  配電盤
９  電源導体
２０  アークホーン
２１  取付部
２２  アーク駆動部
２３  傾斜部
２４  延長部
２５  エッジ部
２６  連結部
９１  電源導体の一面
９１ａ  エッジ部分
９１ｂ  エッジ部分
９２  電源導体の他面
９３  切欠き
１００  アーク
【図１】
0006520504.tif 000002
【図２】
0006520504.tif 000003
【図３】
0006520504.tif 000004
【図４】
0006520504.tif 000005
【図５】
0006520504.tif 000006
【図６】
0006520504.tif 000007
【図７】
0006520504.tif 000008
【図８】
0006520504.tif 000009
【図９】
0006520504.tif 000010
【図１０】
0006520504.tif 000011
【図１１】
0006520504.tif 000012
【図１２】
0006520504.tif 000013
【図１３】
0006520504.tif 000014
【図１４】
0006520504.tif 000015
【図１５】
0006520504.tif 000016